【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
文書を構成するページデータを一の記録媒体上に複数ページ分レイアウトして、当該文書の印刷体裁を設定する文書処理装置であって、
文書の印刷体裁として、設定されている属性情報を取得する取得手段と、
前記取得手段により取得された属性情報において、白紙のページを挿入する合紙設定がページデータの属性として設定されている場合、当該合紙設定を解除して、前記記録媒体上に対する当該ページを空白の領域として面つけするレイアウト制御手段と
を備えることを特徴とする文書処理装置。
【請求項２】
前記レイアウト制御手段は、前記記録媒体上にレイアウトされる全てのページが空白領域の設定になる場合、当該記録媒体の印刷を白紙のページを挿入する合紙とすることを特徴とする請求項１に記載の文書処理装置。
【請求項３】
前記レイアウト制御手段によりページが面つけられた前記記録媒体を印刷するための印刷制御手段を更に備え、
当該印刷制御手段は、前記記録媒体上にレイアウトされる全てのページが空白領域の設定になる場合、前記挿入する合紙の印刷を片面印刷として処理することを特徴とする請求項１または２に記載の文書処理装置。
【請求項４】
前記属性情報は、前記記録媒体を縦または横にして印刷体裁を設定する記録媒体の向きの情報を含み、
前記レイアウト制御手段は、前記記録媒体の向きの情報に基づいて、前記記録媒体上における前記白紙ページの挿入位置を決定することを特徴とする請求項１に記載の文書処理装置。
【請求項５】
文書を構成するページデータを一の記録媒体上に複数ページ分レイアウトして、当該文書の印刷体裁を設定する文書処理装置であって、
文書の印刷体裁として、設定されている属性情報を取得する取得手段と、
前記取得手段により取得された属性情報において、各ページがレイアウトされた前記記録媒体を印刷後に裁断するための切り口の位置指定が設定されている場合、前記文書の前半に相当する第１ページに対して、前記文書の後半に相当する第２ページの天地方向を逆向きに回転させて、当該記録媒体上に面つけするレイアウト制御手段と
を備えることを特徴とする文書処理装置。
【請求項６】
前記属性情報は、前記記録媒体を縦または横にして印刷体裁を設定する記録媒体の向きの情報を含み、
前記レイアウト制御手段は、前記記録媒体の向きの情報に基づいて、前記記録媒体上における前記第１ページと前記第２ページをレイアウトする位置を決定することを特徴とする請求項５に記載の文書処理装置。
【請求項７】
一の記録媒体上に複数ページをレイアウトする印刷体裁の選択、当該記録媒体の向きの選択、前記記録媒体を印刷後に裁断するための切り口の位置指定に関する入力に基づいて、面つけを制御するための属性情報を生成する属性情報生成手段を更に備えることを特徴とする請求項５に記載の文書処理装置。
【請求項８】
文書を構成するページデータを一の記録媒体上に複数ページ分レイアウトして、当該文書の印刷体裁を設定する文書処理装置における文書処理方法であって、
取得手段が、文書の印刷体裁として、設定されている属性情報を取得する取得工程と、
前記取得工程で取得した属性情報において、白紙のページを挿入する合紙設定がページデータの属性として設定されている場合、レイアウト制御手段が、当該合紙設定を解除して、前記記録媒体上に対する当該ページを空白の領域として面つけするレイアウト制御工程と
を備えることを特徴とする文書処理方法。
【請求項９】
前記レイアウト制御工程では、前記記録媒体上にレイアウトされる全てのページが空白領域の設定になる場合、当該記録媒体の印刷を白紙のページを挿入する合紙とすることを特徴とする請求項８に記載の文書処理方法。
【請求項１０】
印刷制御手段が、前記レイアウト制御工程によりページが面つけられた前記記録媒体を印刷するための印刷制御工程を更に備え、
当該印刷制御工程では、前記記録媒体上にレイアウトされる全てのページが空白領域の設定になる場合、前記挿入する合紙の印刷を片面印刷として処理することを特徴とする請求項８または９に記載の文書処理方法。
【請求項１１】
前記属性情報は、前記記録媒体を縦または横にして印刷体裁を設定する記録媒体の向きの情報を含み、
前記レイアウト制御工程では、前記記録媒体の向きの情報に基づいて、前記記録媒体上における前記白紙ページの挿入位置を決定することを特徴とする請求項８に記載の文書処理方法。
【請求項１２】
文書を構成するページデータを一の記録媒体上に複数ページ分レイアウトして、当該文書の印刷体裁を設定する文書処理装置における文書処理方法であって、
取得手段が、文書の印刷体裁として、設定されている属性情報を取得する取得工程と、
前記取得工程で取得した属性情報において、各ページがレイアウトされた前記記録媒体を印刷後に裁断するための切り口の位置指定が設定されている場合、レイアウト制御手段が、前記文書の前半に相当する第１ページに対して、前記文書の後半に相当する第２ページの天地方向を逆向きに回転させて、当該記録媒体上に面つけするレイアウト制御工程と
を備えることを特徴とする文書処理方法。
【請求項１３】
前記属性情報は、前記記録媒体を縦または横にして印刷体裁を設定する記録媒体の向きの情報を含み、
前記レイアウト制御工程では、前記記録媒体の向きの情報に基づいて、前記記録媒体上における前記第１ページと前記第２ページをレイアウトする位置を決定することを特徴とする請求項１２に記載の文書処理方法。
【請求項１４】
一の記録媒体上に複数ページをレイアウトする印刷体裁の選択、当該記録媒体の向きの選択、前記記録媒体を印刷後に裁断するための切り口の位置指定に関する入力に基づいて、属性情報生成手段が、面つけを制御するための属性情報を生成する属性情報生成工程を更に備えることを特徴とする請求項１２に記載の文書処理方法。
【請求項１５】
文書を構成するページデータを一の記録媒体上に複数ページ分レイアウトして、当該文書の印刷体裁を設定する文書処理方法をコンピュータに実行させる文書処理プログラムであって、
文書の印刷体裁として、設定されている属性情報を取得する取得工程と、
前記取得工程で取得した属性情報において、白紙のページを挿入する合紙設定がページデータの属性として設定されている場合、当該合紙設定を解除して、前記記録媒体上に対する当該ページを空白の領域として面つけするレイアウト制御工程と
をコンピュータに実行させることを特徴とする文書処理プログラム。
【請求項１６】
前記レイアウト制御工程では、前記記録媒体上にレイアウトされる全てのページが空白領域の設定になる場合、当該記録媒体の印刷を白紙のページを挿入する合紙とすることを特徴とする請求項１５に記載の文書処理プログラム。
【請求項１７】
前記レイアウト制御工程によりページが面つけられた前記記録媒体を印刷するための処理を、コンピュータに実行させる印刷制御工程を更に備え、
当該印刷制御工程では、前記記録媒体上にレイアウトされる全てのページが空白領域の設定になる場合、前記挿入する合紙の印刷を片面印刷として処理することを特徴とする請求項１５または１６に記載の文書処理プログラム。
【請求項１８】
前記属性情報は、前記記録媒体を縦または横にして印刷体裁を設定する記録媒体の向きの情報を含み、
前記レイアウト制御工程では、前記記録媒体の向きの情報に基づいて、前記記録媒体上における前記白紙ページの挿入位置を決定することを特徴とする請求項１５に記載の文書処理プログラム。
【請求項１９】
文書を構成するページデータを一の記録媒体上に複数ページ分レイアウトして、当該文書の印刷体裁を設定する文書処理方法をコンピュータに実行させる文書処理プログラムであって、
文書の印刷体裁として、設定されている属性情報を取得する取得工程と、
前記取得工程で取得した属性情報において、各ページがレイアウトされた前記記録媒体を印刷後に裁断するための切り口の位置指定が設定されている場合、前記文書の前半に相当する第１ページに対して、前記文書の後半に相当する第２ページの天地方向を逆向きに回転させて、当該記録媒体上に面つけするレイアウト制御工程と
をコンピュータにより実行させることを特徴とする文書処理プログラム。
【請求項２０】
前記属性情報は、前記記録媒体を縦または横にして印刷体裁を設定する記録媒体の向きの情報を含み、
前記レイアウト制御工程では、前記記録媒体の向きの情報に基づいて、前記記録媒体上における前記第１ページと前記第２ページをレイアウトする位置を決定することを特徴とする請求項１９に記載の文書処理プログラム。
【請求項２１】
一の記録媒体上に複数ページをレイアウトする印刷体裁の選択、当該記録媒体の向きの選択、前記記録媒体を印刷後に裁断するための切り口の位置指定に関する入力に基づいて、面つけを制御するための属性情報を生成する処理を、コンピュータに実行させる属性情報生成工程を更に備えることを特徴とする請求項１９に記載の文書処理プログラム。
【請求項２２】
請求項１５乃至２１のいずれか１項に記載の文書処理プログラムを格納したことを特徴とするコンピュータ可読の記憶媒体。
【手続補正２】
【補正対象書類名】明細書
【補正対象項目名】００１６
【補正方法】変更
【補正の内容】
【００１６】
あるいは、本発明にかかる文書を構成するページデータを一の記録媒体上に複数ページ分レイアウトして、当該文書の印刷体裁を設定する文書処理装置は、
文書の印刷体裁として、設定されている属性情報を取得する取得手段と、
前記取得手段により取得された属性情報において、各ページがレイアウトされた前記記録媒体を印刷後に裁断するための切り口の位置指定が設定されている場合、前記文書の前半に相当する第１ページに対して、前記文書の後半に相当する第２ページの天地方向を逆向きに回転させて、当該記録媒体上に面つけするレイアウト制御手段と
を備えることを特徴とする。
【手続補正３】
【補正対象書類名】明細書
【補正対象項目名】００１７
【補正方法】変更
【補正の内容】
【００１７】
また、本発明にかかる文書を構成するページデータを一の記録媒体上に複数ページ分レイアウトして、当該文書の印刷体裁を設定する文書処理装置における文書処理方法は、
取得手段が、文書の印刷体裁として、設定されている属性情報を取得する取得工程と、
前記取得工程で取得した属性情報において、白紙のページを挿入する合紙設定がページデータの属性として設定されている場合、レイアウト制御手段が、当該合紙設定を解除して、前記記録媒体上に対する当該ページを空白の領域として面つけするレイアウト制御工程と
を備えることを特徴とする。
【手続補正４】
【補正対象書類名】明細書
【補正対象項目名】００１８
【補正方法】変更
【補正の内容】
【００１８】
あるいは、本発明にかかる文書を構成するページデータを一の記録媒体上に複数ページ分レイアウトして、当該文書の印刷体裁を設定する文書処理装置における文書処理方法は、
取得手段が、文書の印刷体裁として、設定されている属性情報を取得する取得工程と、
前記取得工程で取得した属性情報において、各ページがレイアウトされた前記記録媒体を印刷後に裁断するための切り口の位置指定が設定されている場合、レイアウト制御手段が、前記文書の前半に相当する第１ページに対して、前記文書の後半に相当する第２ページの天地方向を逆向きに回転させて、当該記録媒体上に面つけするレイアウト制御工程と
を備えることを特徴とする。
【手続補正５】
【補正対象書類名】明細書
【補正対象項目名】００１９
【補正方法】変更
【補正の内容】
【００１９】
また、上記課題を解決する、文書を構成するページデータを一の記録媒体上に複数ページ分レイアウトして、当該文書の印刷体裁を設定する文書処理方法をコンピュータに実行させる文書処理プログラムは、
文書の印刷体裁として、設定されている属性情報を取得する取得工程と、
前記取得工程で取得した属性情報において、白紙のページを挿入する合紙設定がページデータの属性として設定されている場合、当該合紙設定を解除して、前記記録媒体上に対する当該ページを空白の領域として面つけするレイアウト制御工程と
をコンピュータに実行させることを特徴とする。
【手続補正６】
【補正対象書類名】明細書
【補正対象項目名】００２０
【補正方法】変更
【補正の内容】
【００２０】
あるいは、本発明にかかる文書を構成するページデータを一の記録媒体上に複数ページ分レイアウトして、当該文書の印刷体裁を設定する文書処理方法をコンピュータに実行させる文書処理プログラムは、
文書の印刷体裁として、設定されている属性情報を取得する取得工程と、
前記取得工程で取得した属性情報において、各ページがレイアウトされた前記記録媒体を印刷後に裁断するための切り口の位置指定が設定されている場合、前記文書の前半に相当する第１ページに対して、前記文書の後半に相当する第２ページの天地方向を逆向きに回転させて、当該記録媒体上に面つけするレイアウト制御工程と
をコンピュータにより実行させることを特徴とする。